(57)【特許請求の範囲】
【請求項１】
背巻きに供される被製本物を装着する平面状の載置部と、Ｌ型形状を備えこのＬ型形状の直角部頂点を支点として回動可能に前記載置部に枢設され前記被製本物の背部を配置する背巻き部と、一方が前記載置部に固定され他方が前記背巻き部に固定される弾性部と、前記被製本物の背部に貼着される背巻き材に当接して押圧する平板状の押圧部とを有することを特徴とする製本装置。
【請求項２】
前記載置部は、前記背巻き部の肉厚と略同一寸法の段差を形成して低面と高面を具備し、前記背巻き部は前記載置部の低面に枢設されることを特徴とする請求項１記載の製本装置。
【請求項３】
前記押圧部は、少なくとも一方の角部が面取り加工されていることを特徴とする請求項１又は請求項２記載の製本装置。
【発明の詳細な説明】
【０００１】
【発明の属する技術分野】
本発明は、冊子等の背部にクロスを巻き付ける製本装置に係わり、特に、取扱いが簡単でコンパクトでありなおかつ安価な製本装置に関する。
【０００２】
【従来の技術】
一般に、製本は表紙の紙質や綴じ方の相違によっていくつかの種類に分類されるが、厚く頑丈な表紙を持ち本文が糸等で綴じられている上製本に比べると、薄い紙等の表紙で、針金を用いた平綴じや接着剤を用いた無線綴じによる並製本は簡単に作成できる。そこで、オフィスや学校等における事務機器として並製本を行う装置が考えられている。
【０００３】
例えば、特許文献１には「製本方法およびその装置」として、本装置本体の後方に背板を垂直に設け、製本本体の後方から前方にかけて順に表紙折板およびカッターシートをほぼ面一にして水平に設けると共に、その上方に本文押えを平行に設け、該表紙折板を上下動および水平移動可能にすると共に、本文押えを水平移動可能にし、該本文押えの前面に沿って移動可能にカッターを設けたことを特徴とする製本装置が開示されている。
【０００４】
この特許文献１に開示された発明では、本文の厚みに応じた接着剤の貼着幅の調整を省略し、本文の背寄せと本文と表紙の接着を同時に行うことができる。詳細には、表紙と裏表紙が一体化した表紙において背部に当たる部分に予め接着剤を塗布しておき、この表紙を接着剤の一端に添って直角に折り曲げて、接着剤が塗布されていない一方の表紙を背板に沿わせて立て、接着剤が塗布されている他方の表紙を表紙折板に載せる。次に、本文を背板に沿わせた状態で接着剤が塗布されている背部の上部に載せて本文押えで固定する。そして、表紙折板を上昇させて表紙を持ち上げ、更に本文に当接するまで前進させることにより本の厚みに合った背部を作成することができる。本文と背部は、背部となる箇所の下部に具備された加熱部の加熱によって溶融する接着剤によって接着させるのである。また、本文押えに設けられたカッターに本文の厚みを考慮して表紙を切断させて、本文の厚みに適した表紙を作成し製本を完成させるのである。
【０００５】
また、特許文献２には「製本機」として、両側部に一対の相対向する支持板を備えた本体フレームを形成して、この本体フレームの両支持板外側にこれら支持板の外側を覆う筐形のカバーを取付けると共に、両支持板間に押板をもつた可動枠体をスライド可能に支持させ、両支持板間に位置する本体フレーム上に押板に対向する受板を略々垂直状に設けて、可動枠体のスライドにより受板と押板との間で紙葉を挟持するごとく構成し、可動枠体の下方で本体フレームの支持板間にヒータをもつた加熱板を支持させると共に、ヒータの電装部分を両カバーのいずれか一方に内装する一方、可動枠体に、偏心カム部をもつ支軸を介して摘み体を回転自在に設けると共に先端に制動片を備えた押片を、その長さ方向に摺動自在に保持させ、かつ、該押片の基部側端面を偏心カム部の周面に当接させて、摘み体の回転により偏心カム部を介して押片を外方へ進出させ、制動片を支持板に圧接して可動枠体のスライドを阻止すべく成したことを特徴とする製本機が開示されている。
【０００６】
この特許文献２に開示された発明では、表紙と裏表紙が一体化した表紙の背部の部分に接着剤であるホットメルトシートを添設し、本文を構成する紙葉群を挟んだものを受板と押板の間に差し込んで加熱板上にしっかりと固定して、加熱溶融したホットメルトシートによって紙葉群と背表紙を接着させるが、固定する際に、押板を移動させる可動枠体のスライドを阻止するロック装置を設けているので紙葉群と背表紙及び表紙とのずれをなくして正確に製本することができる。また、電装部品を本体フレームのカバー内に着脱自在に設けたので、電装部品は損傷が少ない上に保守点検が容易で故障が少なくなっている。
【０００７】
【特許文献１】
特開平７−２５７０６７号公報
【特許文献２】
実公昭５８−４６８８号公報
【０００８】
【発明が解決しようとする課題】
しかしながら、特許文献１に記載された従来の技術では、本文押えは本文の背部から少し上方の部分を押えるので、背部の付近の紙葉間に隙間を生じ、接着剤は浸透しやすいが、表紙折板によって背部の角部を形成する際に背部の付近の紙葉がずれやすく、角部の仕上がりが悪いという課題があった。また、加熱器具や複雑な機械構造を有する治具を備えているので、装置全体の構造も複雑で高価になるという課題があった。
【０００９】
また、特許文献２では、予め表紙の背部を本文の厚みに合うように折って作成しておくが、実際に装置の押板と受板に挟んで圧力をかけたときに、作成した背部の厚さと本文の厚さに差を生じやすく、その結果、製本された本では、背部に隙間を作ったり、逆に背部から本文がはみ出したりして製本の仕上がりが悪くなるという課題があった。また、特許文献１と同様に、加熱器具を備えているので装置が複雑で高価となるという課題もあった。
【００１０】
本発明はかかる従来の事情に対処してなされたものであり、取扱いが簡単で仕上がりが良く、さらに、コンパクトで安価な製本装置を提供することを目的とする。
【００１１】
【課題を解決するための手段】
上記目的を達成するため、請求項１記載の発明である製本装置は、背巻きに供される被製本物を装着する平面状の載置部と、Ｌ型形状を備えこのＬ型形状の直角部頂点を支点として回動可能に載置部に枢設され被製本物の背部を配置する背巻き部と、一方が載置部に固定され他方が背巻き部に固定される弾性部と、被製本物の背部に貼着される背巻き材に当接して押圧する平板状の押圧部とを有するものである。
上記構成の製本装置は、背巻き部のＬ型形状の内角側に被製本物の背部と背巻き材を支持させて回動させると、被製本物の背部と背巻き材はＬ型形状の直角部に内接するという作用を有する。そして、押圧部は背巻き部を回動させた後に背部に貼着される背巻き材を押圧して背巻き材をより強固に貼付させる作用を有する。
また、弾性部は背巻き部に回動方向と逆方向の力を加えて戻し、新たな被製本物を装着可能な状態にするという作用を有する。
【００１２】
また、請求項２に記載の発明である製本装置は、請求項１に記載の製本装置において、載置部は、背巻き部の肉厚と略同一寸法の段差を形成して低面と高面を具備し、背巻き部は載置部の低面に枢設されるものである。
上記構成の製本装置は、請求項１に記載の発明の作用に加えて、背巻き部が回動して載置部の低面に当接した際に、背巻き部と載置部の高面に段差を生じさせないという作用を有する。
【００１３】
そして、請求項３の発明である製本装置は、請求項１又は請求項２に記載の製本装置において、押圧部は、少なくとも一方の角部が面取り加工されているものである。
上記構成の製本装置は、請求項１又は請求項２に記載の発明の作用に加えて、押圧部の面取りされた角部は背巻き部に当接して滑らかに摺動するという作用を有する。
【００１４】
【発明の実施の形態】
以下に、本発明に係る製本装置の実施の形態を図１乃至図４に基づき説明する。
図１（ａ）は本実施の形態に係る製本装置の正面図であり、（ｂ）は同じく製本装置の裏面図である。
図１（ａ）において、製本装置１を正面からみると、Ｌ型背巻き板３は載置板２に２個の蝶番６によって枢設され、Ｌ型形状の直角部の頂点を支点として回動可能なように構成されている。そして、Ｌ型背巻き板３には、押圧板４が配置されているが、この押圧板４はＬ型背巻き板３に対して固定されたり掛止されるようなるものではなく、Ｌ型背巻き板３上に着脱自由に配置されるものである。
【００１５】
また、載置板２にはゴムシート５が敷設されており、そのゴムシート５のＬ型背巻き板３側の端部は、Ｌ型背巻き板３の肉厚と略同一寸法の厚さを有している。これによってゴムシート５が敷設されない低面側よりも高い高面側を形成せしめている。Ｌ型背巻き板３は、載置板２のゴムシート５が敷設されていない低面側に枢設されており、Ｌ型背巻き板３が回動して載置板２の低面側に当接したとき、Ｌ型背巻き板３の当接側の上面はゴムシート５の上面と面一となり段差を生じない。
図１（ｂ）において、製本装置１を裏面からみると、Ｌ型背巻き板３の裏側には、２個のばね７が一端を載置板２に固定されて設置されている。また、２個の止め板８の各々にボルト９が固定されており、Ｌ型背巻き板３はボルト９に接するとそれ以上止め板８側には回動できなくなっている。なお、ばね７はゴム等の弾性体で代替することが可能であり、また、ばね７、止め板８及びボルト９の設置数は２個に限定されるものでなない。
【００１６】
次に、押圧板について図２を参照しながら説明する。
図２（ａ）は本実施の形態に係る製本装置の押圧板の側面図であり、（ｂ）は同じく製本装置の押圧板の前面図である。
図２（ａ）において、押圧板４は、側面からみると四角形状であるが、４個の角部のうち１個の角部は面取り加工されて丸み１０がつけられている。また、図２（ｂ）において、押圧板４には、複数の直線的な凹部１１が長手方向に平行に刻設されている。
後述するが、丸み１０によって、押圧板４は、冊子の背部に沿って押圧する際に、Ｌ型背巻き板３上を滑らかに摺動することができる。また、凹部１１は、冊子の背部をその凹部１１に導いて摩擦力で一時的に止める働きを備える。
【００１７】
なお、この凹部１１は、摩擦力を備えて冊子の背部を止めることができれば凹状でなくとも低い凸形状であっても良いし、材質もプラスチックなどの樹脂の他、硬質ゴムのような材料を用いてもよい。但し、凹形状であっても凸形状であってもその形状によって冊子の背部におけるクロスの貼着に影響を与えない程度の幅、深さ、高さである必要があることは言うまでもない。さらに、凹凸を備えるのではなく単に水平線が記されているものであってもよい。単なる水平線の場合には凹凸部に比較して摩擦力はないものの、冊子を押圧板４に当接させた場合に冊子の水平度を確認することができる。
【００１８】
続いて、図３及び図４を用いて製本装置の使用方法について説明する。
図３（ａ）は、本実施の形態に係る製本装置の使用方法の第１工程を示す概念図であり、（ｂ）は同じく製本装置の使用方法の第２工程を示す概念図である。また、図４（ａ）は本実施の形態に係る製本装置の使用方法の第３工程を示す概念図であり、（ｂ）は同じく製本装置の使用方法の第４工程を示す概念図であり、（ｃ）は同じく製本装置の使用方法の第５工程を示す概念図である。
図３（ａ）において、製本装置１のＬ型背巻き板３は、ばね７に引っ張られて止め板８のボルト９の位置で静止しており、載置板２とθ１の角度をなしている。θ１は３０度から４０度の範囲の角度が好適である。また、Ｌ型背巻き板３には押圧板４が、その丸み１０をＬ型背巻き板３の直角部に接するように配置されている。なお、Ｌ型背巻き板３と押圧板４がなす角θ２は略９０度である。
背巻きによる製本を行う冊子１２は、予めステイプラー等で綴じて、表紙の片面にクロス１３を貼着しておく。そして、図３（ａ）に示すように、クロス１３を貼着した側の表紙を下にして、冊子１２の位置１４をＬ型背巻き板３上に支持させ、背部の第１の角部１５を押圧板４の凹部１１（この凹部１１は図２に示す。）に当接させる。
このとき、Ｌ型背巻き板３上に冊子１２を載置しても、後方からばね７に引っ張られており、Ｌ型背巻き板３と載置板２のなす角θ１は３０度から４０度を保持することができる。
なお、位置１４は、Ｌ型背巻き板３の大きさによって異なる。
【００１９】
次に、図３（ｂ）において、矢印Ａで示す位置を手で押すと、Ｌ型背巻き板３は回動し、クロス１３を背部１６に密着させた状態で、Ｌ型背巻き板３のＬ型形状の直角部に背部１６が内接され、第１の角部１５を直角に形成すると同時に、背部１６にクロス１３を貼着する。
このときＬ型背巻き板３の回動による勢いと、冊子１２と押圧板４の当接面が下方へずれていくことによって、押圧板４がＬ型背巻き板３から離れやすくなり、作業に支障が生じる場合には、押圧板４とＬ型背巻き板３にそれぞれ磁石と強磁性体の金属板などを設けて接着力を付加し安定化を図ってもよい。また、さらに簡単にクリップなどで押圧板４とＬ型背巻き板３を挟んで固定してもよい。
【００２０】
そして、図４（ａ）において、矢印Ｂで示す位置を手で押すと、Ｌ型背巻き板３は、蝶番６の高さに応じて、載置板２と角度θ３をなして当接し、その結果、押圧板４が傾いてクロス１３の背部１６を強く押して貼着が強化される。なお、θ３は５度程度が好ましい。また、矢印Ｃで示す位置はもう一方の手で押さえるか、文鎮等で固定しておくとよい。この状態においては、前述のとおりＬ型背巻き板３と略同一の肉厚を有するゴムシート５を載置板２に敷設しているのでＬ型背巻き板３と、ゴムシート５のＬ型背巻き板３側の端部上面が面一となっていることがわかる。従って、冊子１２の表紙の当接面において段差を生じさせることがなく、矢印Ｂで示す位置を手で強く押しても表紙を傷めずに製本が可能となる。
【００２１】
続いて、図４（ｂ）において、押圧板４を丸み１０が加工された側の一端を支点として矢印Ｘで示す方向に倒すと、第２の角部１７を直角に形成しながら、残りの未貼着部分のクロス１３をもう一方の表紙側に貼着する。このとき、冊子１２は矢印Ｙで示す方向に移動する。
押圧板４の角部の丸み１０によって、押圧板４はＬ型背巻き板３に沿って滑らかに摺動するので、クロス１３の冊子１２への貼着をきれいに仕上げることができる。このとき、押圧板４をクロス１３を背部１６から引き上げるようにして倒すとより美しくクロス１３を貼着することができる。
なお、図中では、面取り加工は１箇所のみであるが、Ｌ型背巻き板３に接するもう１箇所の角部についても行ってもよい。
【００２２】
最後に、図４（ｃ）において、押圧板４を倒しきり、冊子１２の上に置き、矢印Ｄで示す位置を押圧板４の上から押すと、クロス１３の冊子１２への貼着が完成する。
前述のとおり、Ｌ型背巻き板３の肉厚は、ゴムシート５のＬ型背巻き板３側端部の厚みと略同一寸法であるので、Ｌ型背巻き板３が回動して載置板２に当接したときに、Ｌ型背巻き板３とゴムシート５の間に段差が生じない。従って、図示するように冊子１２が両者の間に跨っても、押圧板４の押圧力をクロス１３に均等にかけることができ、クロス１３を冊子１２に強固に貼着することができる。
また、ゴムシート５は弾性を有するので、押圧板４の押圧力を効率よく冊子１２とクロス１３の貼着へ付与することができる。ただし、ゴムシート５を敷設せずに、載置板２を加工して段差を設けてもよいし、ゴム以外の材料のシートを用いても良い。
【００２３】
このように構成された製本装置１では、冊子１２の背部の２箇所の角部は、Ｌ型背巻き板３と押圧板４が成す直角部分の利用と、冊子１２の厚さにかかわらず押圧板４がクロス１３に対して平行に滑らかに摺動することによってクロス１３を貼着するので、仕上がり状態が良好となる。押圧板４は、最初はＬ型背巻き板３上に配置された時点でＬ型背巻き板３の下面とで直角部分を形成して、第１の角部１５におけるクロス１３の貼着を可能とし、次に押圧板４の角部を支点にしてＬ型背巻き板３の立面を丸み１０を利用しながら平行に摺動し倒しきった時点で今度は自身の下面で冊子１２の表紙の上面に密着して第２の角部１７におけるクロス１３の貼着を可能とする。従って、押圧板４はＬ型背巻き板３と対を成すことでクロスを張って製本するという作用に対して重要な構成要素であると同時に、Ｌ型背巻き板３に対して固定されたり複雑な形状を備えるものでもなく、製本装置１の構造を簡単にするという観点からも重要な構成要素となっている。
【００２４】
なお、押圧板４をクロス１３に対して平行に摺動させることによれば、図４（ｂ）に示すとおり冊子１２もＬ型背巻き板３に対して平行に符号Ｙ方向へ移動し、冊子１２のサイズの大小、厚さにかかわらず背部に対してずれを生じることなくクロス１３を貼着することができる。もう少し説明を加えれば、押圧板４をその丸み１０を利用しながら冊子１２の背部に平行に摺動させると同時に、冊子１２自体を符号Ｙ方向へＬ型背巻き板３に平行にずらしていくことで、クロス１３を冊子１２の背部に対してずれることなく、すなわちクロス１３も冊子１２の背部に対して平行を維持しながら貼着することができるのである。
【００２５】
また、ばね７は、回動時のＬ型背巻き板３に回動方向と逆方向の力を付勢するので、クロス１３を十分に冊子１２の表紙下側に密着させてむらなく貼着することができる。また、図４（ｃ）に示した第５の工程の後に、製本された冊子を取り除くとＬ型背巻き板３が自動的に元に戻るため、次の冊子を装着するために作業者が手で戻す必要がなく作業を容易とし時間の短縮にも効果がある。
さらに、製本装置１は、構造が簡単なので取扱いが容易であり、なおかつ、安価に作製することができる。また、コンパクトな設計なので設置場所を選ばず、保管や持ち運びも容易である。
【００２６】
【発明の効果】
以上説明したように、本発明の請求項１乃至請求項３に記載の製本装置は、背巻き部に背巻き材と被製本物の背部を配置して回動すると、弾性部によって回動方向と逆方向に働く力が作用し、背巻き材を背部に正確に貼着することができる。さらに、背巻き部のＬ型形状の直角部と押圧部を利用することにより被製本物の背部の一の角部を直角に仕上げることができる。
そして、押圧部を移動しながら押圧することによって被製本物の背部の他の角部を直角にしながら、背巻き材の貼着を仕上がりよく行うことができる。
【００２７】
また、本発明の請求項２に記載の製本装置においては、押圧部を押圧する際に、載置部と背巻き部の間に段差がないので、被製本物の表紙を傷つけることなく背巻き材の貼着を確実に行うことができる。
【００２８】
そして、本発明の請求項３に記載の製本装置においては、押圧部の角部が面取り加工されることによって、押圧部の背巻き部上の摺動を滑らかに行うので、被製本物の背巻きが仕上がりよくできる。
【図面の簡単な説明】
【図１】（ａ）は本発明の本実施の形態に係る製本装置の正面図であり、（ｂ）は同じく製本装置の裏面図である。
【図２】（ａ）は本実施の形態に係る製本装置の押圧板の側面図であり、（ｂ）は同じく製本装置の押圧板の前面図である。
【図３】（ａ）は本実施の形態に係る製本装置の使用方法の第１工程を示す概念図であり、（ｂ）は同じく製本装置の使用方法の第２工程を示す概念図である。
【図４】（ａ）は本実施の形態に係る製本装置の使用方法の第３工程を示す概念図であり、（ｂ）は同じく製本装置の使用方法の第４工程を示す概念図であり、（ｃ）は同じく製本装置の使用方法の第５工程を示す概念図である。
【符号の説明】
１…製本装置  ２…載置板  ３…Ｌ型背巻き板  ４…押圧板  ５…ゴムシート６…蝶番  ７…ばね  ８…止め板  ９…ボルト  １０…丸み  １１…凹部  １２…冊子  １３…クロス  １４…冊子とＬ型背巻き板が接する位置  １５…第１の角部  １６…背部  １７…第２の角部  θ１…Ｌ型背巻き板と載置板との角度θ２…押圧板とＬ型背巻き板との角度  θ３…Ｌ型背巻き板と載置板との角度Ａ，Ｂ，Ｃ，Ｄ…押さえる個所  Ｘ…押圧板を倒す方向  Ｙ…冊子が移動する方向
【図１】
0003635084.tif 000002
【図２】
0003635084.tif 000003
【図３】
0003635084.tif 000004
【図４】
0003635084.tif 000005